(57)【要約】      （修正有）【課題】音波変化に伴い点滅するイヤホン装置を提供する。【解決手段】イヤプラグ或いはイヤカバーを具えた再生ユニット１０、外界の音源信号に接続可能な音源プラグ３０、及び再生ユニット１０と音源プラグ３０間に電気的に接続されて音源信号を伝送する音源線を包含する。音源線には音源信号を受信可能であるコントロールユニットが電気的に接続され、且つコントロールユニットはＬＥＤランプ條５０と、ＬＥＤランプ條５０の発光に必要な電力を供給する電力供給ユニットに電気的に接続される。ＬＥＤランプ條５０は音源線に沿って再生ユニット１０まで延伸され、使用者が音楽を聴くとき、ＬＥＤランプ條５０は音波変化に伴い発光点滅し、識別しやすさ、安全警告及び娯楽の効果を達成する。【選択図】図１
0003185412.tif 000002
【実用新案登録請求の範囲】
【請求項１】
イヤホン或いはイヤカバーを具えた再生ユニット、外界音源信号に接続可能な音源プラグ、及び上述の再生ユニットと音源プラグの間に電気的に接続されて音源信号を伝送する音源線を包含する音波変化に伴い点滅するイヤホン装置において、
該音源線には音源信号を受信できるコントロールユニットが電気的に接続され、該コントロールユニットは該音源線に沿って該再生ユニットまで延伸されたＬＥＤランプ條、及び、該コントロールユニットの動作とＬＥＤランプ條の発光に必要な電源を提供する電力供給ユニットに電気的に接続され、且つ上述のコントロールユニットは、該音源信号の音波変化により該ＬＥＤランプ條を駆動して発光点滅させることを特徴とする、音波変化に伴い点滅するイヤホン装置。
【請求項２】
請求項１に記載の音波変化に伴い点滅するイヤホン装置において、該音源線とＬＥＤランプ條はフレキシブル或いは軟性の透光チューブ内に被包されることを特徴とする、音波変化に伴い点滅するイヤホン装置。
【請求項３】
請求項１に記載の音波変化に伴い点滅するイヤホン装置において、上述のコントロールユニットと電力供給ユニットはケーシング内に設けられ、該ケーシングにはさらに該電力供給ユニットの該コントロールユニットとＬＥＤランプ條への電力供給をオンオフできる電力供給スイッチが設けられることを特徴とする、音波変化に伴い点滅するイヤホン装置。
【請求項４】
請求項１乃至３のいずれかに記載の音波変化に伴い点滅するイヤホン装置において、上述のケーシングは使用状態を表示するための状態指示器と、位置決めするのに用いることができる夾持部品を具えることを特徴とする、音波変化に伴い点滅するイヤホン装置。
【請求項５】
請求項１乃至３のいずれかに記載の音波変化に伴い点滅するイヤホン装置において、該電力供給ユニットはケーシング内に設置された使い捨て式電池或いは充電可能な二次電池とされることを特徴とする、音波変化に伴い点滅するイヤホン装置。
【請求項６】
請求項１乃至３のいずれかに記載の音波変化に伴い点滅するイヤホン装置において、該電力供給ユニットはケーシング内に設置された充電可能な二次電池とされ、且つ該コントロールユニットはケーシング上に設置されて電源に外接可能な電力供給コネクタに電気的に接続され、該電力供給コネクタは電源を入力して該電力供給ユニットに対して充電を行えることを特徴とする、音波変化に伴い点滅するイヤホン装置。
【請求項７】
請求項１乃至３のいずれかに記載の音波変化に伴い点滅するイヤホン装置において、該コントロールユニットは発光形態データベースを包含し、該発光形態データベースには複数の異なる発光形態データが予め設けられ、且つ該コントロールユニットは上述の発光形態データに基づき該ＬＥＤランプ條の発光形態をコントロールすることを特徴とする、音波変化に伴い点滅するイヤホン装置。
【請求項８】
請求項７に記載の音波変化に伴い点滅するイヤホン装置において、該コントロールユニットはケーシング上に設置された発光形態切り換えボタンに電気的に接続され、該コントロールユニットは、該発光形態切り換えボタンの切り換えにより、該ＬＥＤランプ條をコントロールして、音源信号に基づき発光点滅させるか、或いは異なる発光形態データにより該ＬＥＤランプ條の発光形態をコントロールすることを特徴とする、音波変化に伴い点滅するイヤホン装置。
【考案の詳細な説明】
【技術分野】
【０００１】
本考案は一種のイヤホン装置に係り、特に一種の音源線に沿って発光ランプストリップが設置され、並びに音波変化に伴い発光点滅するイヤホン装置に関する。
【背景技術】
【０００２】
伝統的なイヤホンはいずれもイヤプラグ或いはイヤカバーを具えた再生ユニットを具え、該再生ユニットは通常、使用者の耳部に置かれ、並びに音源線と音源プラグを介してラジオ、ステレオ、ＭＰ３プレイヤー、携帯電話、或いはコンピュータ等の電子装置の音源信号を受け取り、こうして、外界環境の雑音の干渉を受けずに、再生ユニットを介してこれら電子装置の出力する音声、音楽或いはサウンドを聴くことができる。
【０００３】
近年、上述の各種の電子装置の使用は相当に普及し、特にスマートホンはすでに通話及び音声或いは音楽再生等の多重機能を有し、外での仕事、レジャー或いはスポーツのいずれにおいてもすでに現代人に不可欠な携帯アクセサリの一つとなっており、ますます多くの人がスマートホンにイヤホンを組み合わせて使用するようになり、それにより両手をその他の活動のために空けておける。
【０００４】
しかし、イヤホンを使用して音声、音楽或いはサウンドを聴く時、周囲の環境中の音に注意を払うのは容易ではなく、特に暗い環境で作業、活動或いは運動している時は、周囲を走行する車両に対して警告作用を発生することは難しく、たとえば、イヤホンを着用して夜間に歩いたり自転車に乗ったりすると、遠方の車両のドライバーにその位置を気づかせることはできず、このため予防の難しい事故が発生する問題が引き起こされ、きわめて改善が必要とされている。
【０００５】
このほか、新世代の流行を追い求める若者にとって、経常的にモバイル装置を携帯し使用するため、放送機能のみ有する伝統的なイヤホンでは時代の先端を行く要求を満足させられず、ゆえに、いかにイヤホンに音の再生以外の効果をもたせるかが、本領域の改善が待たれる重要な課題である。
【０００６】
これを鑑み、本考案者は特にその専門的にイヤホンの生産、製造及び設計に従事した長年の経験をもって、本考案を研究、創作し、上述の問題を改善する。
【考案の概要】
【考案が解決しようとする課題】
【０００７】
本考案の主要な目的は、一種の、音楽の音量或いはテンポの変化に伴い、音源線に沿って発光点滅するイヤホン装置を提供し、上述の従来技術中の、イヤホンを使用して音声、音楽或いはサウンドを聴く時に、周囲環境中の音声に注意しにくいために予防しにくい意外な事故が発生しやすくなる問題を克服し、並びに伝統的なイヤホンがただ再生機能のみ有して若者の時代の先端を追い求める要求を満足できない問題を克服することにある。
【課題を解決するための手段】
【０００８】
上述の目的を達成するため、本考案の音波変化に伴い点滅するイヤホン装置は、イヤホン或いはイヤカバーを具えた再生ユニット、外界音源信号に接続可能な音源プラグ、及び上述の再生ユニットと音源プラグの間に電気的に接続されて音源信号を伝送する音源線を包含する。
該音源線には音源信号を受信できるコントロールユニットが電気的に接続され、該コントロールユニットは該音源線に沿って該再生ユニットまで延伸されたＬＥＤランプ條、及び、該コントロールユニットの動作とＬＥＤランプ條の発光に必要な電源を提供する電力供給ユニットに電気的に接続され、且つ上述のコントロールユニットは、該音源信号の音波変化により該ＬＥＤランプ條を駆動して発光点滅させる。
【０００９】
上述の構造により、使用者が再生ユニットを耳部に置き、並びに音源プラグを外界電子装置の音源信号出力端に接続し、上述の再生ユニットとコントロールユニットに同時に音源信号を受け取らせる時、該再生ユニットは音源信号の音声、音楽或いはサウンドを再生して使用者が聴けるようにし、該コントロールユニットは該音源信号の音量或いはテンポの変化によりＬＥＤランプ條をコントロールして音源線に沿って発光点滅させる。
【００１０】
以下に、さらに本考案の具体的実施方式について説明する。
【００１１】
上述の主要な構造特徴に基づき、上述の音源線とＬＥＤランプ條はフレキシブル或いは軟性の透光チューブ内に被包される。
【００１２】
上述の主要な構造特徴に基づき、上述のコントロールユニットと電力供給ユニットはケーシング内に設けられ、該ケーシングにはさらに該電力供給ユニットの該コントロールユニットとＬＥＤランプ條への電力供給をオンオフできる電力供給スイッチが設けられる。
【００１３】
上述の主要な構造特徴に基づき、上述のケーシングは使用状態を表示するための状態指示器と、使用者が衣類或いはリュックサック等に夾持、位置決めするのに用いることができる夾持部品を具える。
【００１４】
上述の主要な構造特徴に基づき、該電力供給ユニットはケーシング内に設置された使い捨て式電池或いは充電可能な二次電池とされる。
【００１５】
上述の主要な構造特徴に基づき、該電力供給ユニットはケーシング内に設置された充電可能な二次電池とされ、且つ該コントロールユニットはケーシング上に設置されて電源に外接可能な電力供給コネクタに電気的に接続され、該電力供給コネクタは電源を入力して該電力供給ユニットに対して充電を行える。
【００１６】
上述の主要な構造特徴に基づき、該コントロールユニットは発光形態データベースを包含し、該発光形態データベースには複数の異なる発光形態データが予め設けられ、且つ該コントロールユニットは上述の発光形態データに基づき該ＬＥＤランプ條の発光形態をコントロールする。
【００１７】
上述の主要な構造特徴に基づき、該コントロールユニットはケーシング上に設置された発光形態切り換えボタンに電気的に接続され、該コントロールユニットは、該発光形態切り換えボタンの切り換えにより、該ＬＥＤランプ條をコントロールして、音源信号に基づき発光点滅させるか、或いは異なる発光形態データにより該ＬＥＤランプ條の発光形態をコントロールする。
【考案の効果】
【００１８】
従来の技術に較べ、本考案の音波変化に伴い点滅するイヤホン装置は、使用者が音楽を聴くときに、その他の周囲の人或いは車両からはっきりイヤホン着用者が見えるようにし、容易に認識できるようにし、安全警告及び娯楽の機能を達成し、並びに構造が簡単で、体積が細小であり、携帯に便利で、安全に使用できる効果を有する。
【００１９】
しかし、明確に且つ十分に本考案を記載するため、好ましい実施例の図を組み合わせてその実施方式について以下のように詳細に説明する。
【図面の簡単な説明】
【００２０】
【図１】本考案の好ましい実施例の立体図である。
【図２】図１の正面図である。
【図３】図１の透光チューブの断面図である。
【図４】図１の実施例の機能ブロック図である。
【図５】図２の使用状態図である。
【考案を実施するための形態】
【００２１】
図１は本考案の好ましい実施例の立体図、図２は本考案の正面図、図３は図１の透光チューブの断面図、図４は図１の機能ブロック図、図５は図２の使用状態図である。
【００２２】
図１から図５を組み合わせて本考案の音波変化に伴い点滅するイヤホン装置を説明する。それは、イヤプラグ或いはイヤカバーを具えた再生ユニット１０、外界の音源信号に接続可能な音源プラグ３０、及び上述の再生ユニット１０と音源プラグ３０の間に電気的に接続されて音源信号を伝送する音源線２０を包含する。該音源プラグ３０は外界電子装置９０の音源信号を受け取り、並びに音源線２０を介して伝送でき、再生ユニット１０により音楽が再生されて使用者により聴かれる。
該音源線２０には音源信号を受け取ることができるコントロールユニット４０が電気的に接続され、且つコントロールユニット４０はＬＥＤランプ條５０、及びコントロールユニット４０の動作とＬＥＤランプ條５０の発光に必要な電力を供給する電力供給ユニット６０に電気的に接続される。該ＬＥＤランプ條５０はコントロールユニット４０より音源線２０に沿って再生ユニット１０まで延伸され、且つ上述のコントロールユニット４０は該音源信号の音量、或いはテンポの変化に基づき該ＬＥＤランプ條５０の点滅変化をコントロールする。
【００２３】
上述の構造により、使用者が再生ユニット１０を耳部に置き、並びに音源プラグ３０を外界電子装置９０の音源信号出力端に接続し、上述の再生ユニット１０とコントロールユニット４０に同時に音源線２０を通して音源信号を受け取らせ、これにより、該再生ユニット１０は音源信号の音声、音楽或いはサウンドを再生でき、同時に該コントロールユニット４０は該音源信号の音量或いはテンポの変化によりＬＥＤランプ條５０をコントロールして音源線２０に沿って発光点滅させる。
【００２４】
ＬＥＤランプ條５０が音源線２０に沿って発光、点滅する設計により、使用者は携帯音楽プレイヤーを聴くとき、或いは暗い環境でイヤホンを装着する時に、流行に乗り、時代の先端を行き、及び安全警告の機能を有する。
【００２５】
具体的な実施上、本考案は以下を包含する。
【００２６】
実施上、上述のコントロールユニット４０と電力供給ユニット６０はケーシング８０内に設けられ、該ケーシング８０の一側表面に位置決め用の夾持部品８１が設けられ、ケーシング８０が該夾持部品８１により使用者の衣服或いはリュックサック等の位置に取り付けられる。
【００２７】
実施上、該コントロールユニット４０は並列接続方式で、音源線２０に電気的に接続され、且つコントロールユニット４０はケーシング８０内に位置する発光形態データベース４１に電気的に接続され、該発光形態データベース４１に複数の異なる発光形態データが設けられ、コントロールユニット４０に前述の音源信号に基づきＬＥＤランプ條５０の発光点滅をコントロールさせるほか、発光形態データベース４１の異なる発光形態データにより、ＬＥＤランプ條５０の発光形態をコントロールさせ、たとえば、発光輝度、単色、カラー、固定或いは不固定周波数の点滅、走馬灯、水流シミュレート動態等の発光形態をコントロールさせる。
【００２８】
上述のＬＥＤランプ條５０を音源信号に基づき発光点滅させるか、或いは発光形態データベース４１に基づき発光形態を変化させるかの切り換えに便利であるように、実施時には、コントロールユニット４０はさらに、ケーシング８０上に位置する発光形態切り換えボタン４２に電気的に接続され、これにより、発光形態切り換えボタン４２により切り換え操作を行なうことができる。
【００２９】
実施上、該コントロールユニット４０はケーシング８０外壁に設けられて使用状態を表示する状態指示器４３ａ、４３ｂに電気的に接続され、上述の状態指示器４３ａ、４３ｂは指示ランプ或いはブザーとされ得る。
【００３０】
実施上、該ＬＥＤランプ條５０は、音源線２０に沿って設置された導線と複数の、離間配列されたＬＥＤ５１で構成され、これにより、ＬＥＤランプ條５０は音源線２０に沿って延伸させられ得る。
【００３１】
実施上、上述の音源線２０とＬＥＤランプ條５０はフレキシブル或いは軟性の透光チューブ７０内に被包され、該透光チューブ７０はプラスチック、不織布等の材料で形成される。
【００３２】
実施上、該電力供給ユニット６０は使い捨て式電池或いは充電可能な二次電池とされ、且つ該ケーシング８０上には電力供給ユニット６０を収容できる収容口８２が設けられる。このほか、電力供給ユニット６０はケーシング８０外壁に位置する電力供給スイッチ６１に電気的に接続され、該電力供給スイッチ６１は電力供給ユニット６０の、コントロールユニット４０とＬＥＤランプ條５０に対する電力供給をオンオフできる。
【００３３】
電力供給スイッチ６１が電力供給ユニット６０のコントロールユニット４０に対する電力供給をオフし、電力供給ユニット６０の電力が尽きると、該ＬＥＤランプ條５０は発光を停止するが、再生ユニット１０は上述の音源線２０と音源プラグ３０を介して伝送される音源信号により音声、音楽或いはサウンドを再生できる。
【００３４】
電力供給ユニット６０を充電式電池とする実施例では、該電力供給ユニット６０はまた電源に外接可能な電力供給コネクタ６２により充電可能とされる。実施時には、該電力供給コネクタ６２はケーシング８０上のＵＳＢコネクタ或いはその他の電源コネクタに設置可能であり、これにより外界電源コードの接続と電源入力に便利である。
【００３５】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００３６】
１０  再生ユニット
２０  音源線
３０  音源プラグ
４０  コントロールユニット
４１  発光形態データベース
４２  発光形態切り換えボタン
４３ａ、４３ｂ  状態指示器
５０  ＬＥＤランプ條
５１  ＬＥＤ
６０  電力供給ユニット
６１  電力供給スイッチ
６２  電力供給コネクタ
７０  透光チューブ
８０  ケーシング
８１  夾持部品
８２  収容口
９０  電子装置
【図１】
0003185412.tif 000003
【図２】
0003185412.tif 000004
【図３】
0003185412.tif 000005
【図４】
0003185412.tif 000006
【図５】
0003185412.tif 000007